(57)【要約】【課題】防水性を確保しつつケースへの装着性を向上させることができるグロメットを提供する。【解決手段】本発明のグロメット４０は、第２シール部４６に薄板部５８，５８の中央部に装着方向に延設された防水リブ５９，５９が形成されている。また、蓋体３０の下面３３から箱本体１０に向けて一対の押圧突起３５，３５が防水リブ５９，５９に対応して形成されており、押圧突起３５，３５の先端部には、テーパ面３６，３６が内面に形成されている。【選択図】    図３
2004201390.tif 000002
【特許請求の範囲】
【請求項１】
切欠開口部を有する箱本体と、該箱本体の上方から被嵌される蓋体よりなる防水箱に装着され、ワイヤハーネスが挿通されるグロメットであって、
前記グロメットが、前記切欠開口部の両側端を形成する前記箱本体上端の周壁部分に当接する防水リブを備えるとともに、
前記蓋体の被嵌に伴って前記防水リブが前記箱本体内方向に押圧されることを特徴とするグロメット。
【請求項２】
前記防水リブが、装着方向に沿って延設されていることを特徴とする請求項１に記載のグロメット。
【発明の詳細な説明】
【０００１】
【発明の属する技術分野】
本発明は、制御ユニット等を収容した防水箱に装着され、ワイヤハーネスを外部に引き出すのに用いるグロメットに関する。
【０００２】
【従来の技術】
従来の制御ユニット等が収容された防水性を有する防水箱に用いられるグロメットとして、例えば、特許文献１に開示されているものが知られている。図７（ａ），（ｂ）に示すように、従来のグロメット８０は、グロメット本体８１の蛇腹状胴部８２の中間部に、第２厚肉周壁部８３を形成し、第２厚肉周壁部８３の周上に、剛性板に対する嵌合部としての嵌着溝８４とガイド突条８５とを形成してある。第２厚肉周壁部８３は、下半分８５を半円状、上半分８６を矩形状に形成している。
また、先端側の第１厚肉周壁部８７も同様の形状で一回り大きく形成され、その内周には、剛性部材に対する嵌合溝８８を形成してある。第１厚肉周壁部８７の外周部には、上端リップ８９が形成してある。
【０００３】
このようなグロメット８０では、グロメット本体８１の先端側の第１厚肉周壁部８７の内周上に剛性部材が嵌着され、その係止爪を下ケースの係止枠部に挿入係止させ、第１厚肉周壁部８７のスライド用突条９０とスライド用周溝９１とを下ケースのガイド溝とガイド突条とを嵌合している。
第１厚肉周壁部８７の上側には、上端リップ８９に対するパッキンを有する上ケースを覆設する。
また、中間側の第２厚肉周壁部８３の嵌着溝８４とガイド突条と嵌合溝とを嵌め合わせ、下側剛性板の係止爪を遮熱板等の壁板の係止枠部に挿入係止している。上側剛性板の係合板には、上壁を嵌め込んで固定する。
【０００４】
【特許文献１】
実開平３−１２６３１５号公報
【０００５】
【発明が解決しようとする課題】
しかしながら、上記グロメットの場合、下ケースへの嵌合時に樹脂同士の嵌め合いのため挿入力がアップして作業性が悪いという問題があった。
【０００６】
本発明は、上記課題を解決するためになされたものであり、その目的は、防水性を確保しつつケースへの装着性を向上させることができるグロメットを提供することにある。
【０００７】
【課題を解決するための手段】
前述した目的を達成するために、本発明は請求項１に記載したように、切欠開口部を有する箱本体と、該箱本体の上方から被嵌される蓋体よりなる防水箱に装着され、ワイヤハーネスが挿通されるグロメットであって、前記グロメットが、前記切欠開口部の両側端を形成する前記箱本体上端の周壁部分に当接する防水リブを備えるとともに、前記蓋体の被嵌に伴って前記防水リブが前記箱本体内方向に押圧されることを特徴とする。
【０００８】
このように構成されたグロメットによれば、箱本体の切欠開口部へのグロメットの装着は、低挿入力で容易に装着することができるとともに、蓋体を被せることにより防水リブを周壁方向に押圧するので、グロメットと箱本体との高い防水性を確保することができる。
【０００９】
また、本発明は請求項２に記載したように、前記防水リブが前記グロメットの装着方向に沿って延設されていることを特徴とする請求項１に記載のグロメットである。
【００１０】
このように構成されたグロメットによれば、防水リブが切欠開口部近傍の両周壁の上端から下端にかけて当接して、蓋体を被せることにより防水リブを周壁方向に押圧するので、グロメットと箱本体との一層高い防水性を確保することができる。
【００１１】
【発明の実施の形態】
以下、本発明に係るグロメットの一実施形態を図１乃至図６に基づいて詳細に説明する。図１は本発明の一実施形態のグロメットの外観斜視図、図２は図１に示すグロメットにおける各部品の組付関係を説明する外観斜視図、図３は図１に示す防水箱の縦断面図、図４は図１に示すグロメットの第１分割体の単体外観斜視図、図５は図１に示すグロメットの第２分割体の単体外観斜視図、図６は図５に示す第２分割体を下方から見た外観斜視図である。
【００１２】
本発明の一実施形態のグロメット４０は、図４に示す第１分割体４１と、図５，図６に示す第２分割体４２との２部品構成である。
図４に示すように、第１分割体４１は、第１分割体本体４３と、第１シール部４４とから構成されている。第２分割体４２は、第２分割体本体４５と、第２シール部４６とから構成されている。
【００１３】
第１分割体本体４３は、全体が略Ｉ字状の板形状に形成されている。第１分割体本体４３の上面において中央部には、箱本体１０のグロメット当接面２２に対応して半円形に湾曲したハーネス支持部４７が形成されている。
また、ハーネス支持部４７の両側には、四角形の孔状にされた一対の係合孔４８，４８が形成されている。
【００１４】
第１シール部４４は、全体が略Ｔ字状の板形状に形成されている。第１シール部４４は、Ｔ字状をなすうちの頂部をなす部分が本体結合部４９になっているため、第１分割体本体４３の下面に一体的に嵌着されている。この本体結合部４９の外周面には、３個の防水リブ５０，５０，５０が突設されている。
また、第１シール部４４には、第１分割体本体４３のハーネス支持部４７に対応した中央部からハーネス結束部５１が突出形成されている。
【００１５】
図５及び図６に示すように、第２分割体本体４５は、全体が略Ｔ字状の板形状に形成されている。第２分割体本体４５の四隅には、ロ字状をなすグロメット側固定部５２，５２，５２，５２が下方に向けて突出形成されている。各グロメット側固定部５２は、箱本体１０のグロメット取付部１４に設けられた各箱本体側固定部２０に嵌着されることによって、グロメット４０を箱本体１０に固定するのに用いられる。
【００１６】
また、第２分割体本体４５の下面には、第１分割体本体４３の一対の係合孔４８，４８に対応した一対の係止突起５４，５４が突出形成されている。係止突起５４，５４は、第２分割体４２を第１分割体４１に合体する際に、第１分割体本体４３の係合孔４８，４８に係止されて両分割体４２，４１を結合させるのに用いられる。
第２分割体本体４５には、第１シール部４４のハーネス結束部５１に対応したハーネス結束部５５が突出形成されている。また、第２分割体本体４５の側部には、第１シール部４４の防水リブ５０，５０，５０に対応した３個のリブ突起５６，５６，５６が２対形成されている。
【００１７】
第２シール部４６は、略Ｉ字状の板形状に形成された基部５７の両端部に、基部５７よりも板厚が小さい薄板部５８，５８が形成されており、薄板部５８，５８の中央部に上下方向に長さをもち、グロメット４０の装着方向に延設された防水リブ５９，５９が形成されている。
【００１８】
また、第２シール部４６は、第２分割体本体４５の上面において、箱本体１０の周壁１２側に対応した図５中の手前側に固定されている。そのため、第２分割体４２の各グロメット側固定部５２が箱本体１０のグロメット取付部１４に設けられた各箱本体側固定部２０に嵌着されてグロメット４０が箱本体１０に固定される際に、防水リブ５９，５９が箱本体１０の周壁１２に当接する。
これにより、薄板部５８，５８が周壁１２から離れる方向に弾性変形して、防水リブ５９，５９を周壁１２に必要以上に押圧しないようにし、グロメット４０の組付けがスムースに行われるようにする。
【００１９】
そして、蓋体３０の箱本体１０への被嵌が進行した際に、蓋体３０に設けられた押圧突起３５，３５のテーパ面３６，３６が第２シール部４６の薄板部５８，５８に衝突することにより、押圧突起３５，３５が薄板部５８，５８に直接衝突しないようにしつつ、押圧突起３５，３５が薄板部５８，５８の後側に挿入され、薄板部５８，５８を介して防水リブ５９，５９を周壁１２に圧接させ、グロメット取付部１４の周壁１２部分における防水性を図る。
【００２０】
また、図１〜３に示すように、本実施形態のグロメット４０が装着される防水箱１は、箱本体１０と、蓋体３０とから構成されている。箱本体１０の周壁１２の一部に、グロメット取付部１４の一部を構成する隔板１５，切欠開口部１６が形成されている。切欠開口部１６は、隔板１５の中央部において半円形状に切除されて形成されている。
【００２１】
外側板１３は、周壁１２の外周側に弾性圧接部１７を介して配され、外側板１３の一部にグロメット取付部１４の他の一部を構成する隔板１８，切欠開口部１９が形成されている。隔板１８は、周壁１２の隔板１５と一対に配されている。切欠開口部１９は、周壁１２の切欠開口部１６と一対をなして、隔板１８の中央部において半円形状に切除されて形成されている。そして、隔板１８における切欠開口部１９の両側部分に、一対の箱本体側固定部２０，２０が突設されている。弾性圧接部１７には、弾性シール嵌着部３４に装着され、無端状をなす弾性シール部２１が圧接される。
【００２２】
ここで、周壁１２における隔板１５と外側板１３における隔板１８とが一対に配されるとともに、周壁１２における切欠開口部１６と外側板１３における切欠開口部１９とが一対に配されることにより、両隔板１５，１８の間に、グロメット取付部１４の残り一部を構成するグロメット当接面２２が形成されている。グロメット当接面２２は、弾性圧接部１７の面に対して凹状にされている。
【００２３】
また、蓋体３０のグロメット取付部１４に対応した部分には、下面３３から箱本体１０に向けて棒状をなして突出した一対の押圧突起３５，３５が形成されている。押圧突起３５，３５は、グロメット４０の第２分割体４２に備えた第２シール部４６の防水リブ５９，５９に対応して配されている。
また、押圧突起３５，３５の先端部には、蓋体３０が箱本体１０に被嵌される際に第２シール部４６の上部に衝突しないようにするためのテーパ面３６，３６が内面に形成されている。
【００２４】
次に、本実施形態のグロメット４０の防水箱１０への組み付け手順を説明する。
先ず、第１分割体４１が治具上に配される。第１分割体４１は、第１分割体本体４３のハーネス支持部４７及び第１シール部４４の本体結合部４９が治具の中央部において切欠部分に挿着される。
次に、第１分割体４１のハーネス支持部４７上にワイヤハーネス７０が配される。ワイヤハーネス７０の外周には、径方向に弾性変形可能なシール部材が巻き付けられている。ワイヤハーネス７０は、第１シール部４４のハーネス結束部５１上から引き出されている。
【００２５】
次に、第１分割体４１に第２分割体４２が被嵌される。このとき、第２分割体４２の各グロメット側固定部５２は用いられず、第２分割体４２の係止突起５４，５４が第１分割体４１の係合孔４８，４８に嵌入される。これにより、スナップアクションで第２分割体４２が第１分割体４１に結合される。
そして、第１分割体４１のハーネス支持部４７と第２分割体４２のハーネス支持部５３とによって、ワイヤハーネス７０のシール部材を挟み込む。これにより、ワイヤハーネス７０の外周部分における防水性が図られる。また、第１シール部４４のハーネス結束部５１と第２分割体４２のハーネス結束部５５に対し、ワイヤハーネス７０を介してテープ巻きが行なわれる。
【００２６】
次に、ワイヤハーネス７０を保持しているグロメット４０が箱本体１０のグロメット取付部１４に組み付けられる。第１シール部４４の本体結合部４９をグロメット取付部１４のグロメット当接面２２に当接させるように、グロメット４０をグロメット取付部１４の各切欠開口部１６，１９に対して進行していく。これにより、第２分割体４２の各グロメット側固定部５２が箱本体１０のグロメット取付部１４の各箱本体側固定部２０に嵌着され、グロメット４０が箱本体１０に固定される。グロメット４０が箱本体１０に固定されることにより、第２シール部４６の防水リブ５９，５９が箱本体１０の周壁１２に当接する。
このとき、防水リブ５９，５９は、蓋体３０が箱本体１０に被嵌されておらずに蓋体３０の押圧突起３５，３５によって第２シール部４６の薄板部５８，５８が押圧されていないので、周壁１２に当接するだけである。これにより、薄板部５８，５８が周壁１２から離れる方向に弾性変形して、防水リブ５９，５９を周壁１２に必要以上に押圧しないようにして、組付けがスムースに行われる。
【００２７】
次に、蓋体３０が箱本体１０に取付けられる。蓋体３０の箱本体１０への被嵌が進行する際、蓋体３０の押圧突起３５，３５のテーパ面３６，３６が第２シール部４６の薄板部５８，５８の上部に接触する。これにより、押圧突起３５，３５が薄板部５８，５８に直接衝突しないようにしつつ蓋体３０が進行され、押圧突起３５，３５が薄板部５８，５８の後側に挿入され、薄板部５８，５８を介して防水リブ５９，５９を周壁１２に圧接させる。よって、グロメット取付部１４の周壁１２部分における防水性が確保される。
【００２８】
上述したように本実施形態のグロメット４０によれば、第２分割体４２に設けられた第２シール部４６の防水リブ５９，５９が箱本体１０の周壁１２に対して当接するため、グロメット４０の箱本体１０への装着をスムースに行なうことができる。
また、蓋体３０に設けられた押圧突起３５，３５が第２シール部４６の薄板部５８，５８を周壁１２に向けて押圧することにより、防水リブ５９，５９が周壁１２に対し確実な防水性を図ることができる。
【００２９】
そして、蓋体３０が箱本体１０に被嵌される際に、蓋体３０の押圧突起３５，３５が第２シール部４６の薄板部５８，５８に直接衝突しないようにするためのテーパ面３６，３６が押圧突起３５，３５に設けられているため、蓋体３０が箱本体１０に被嵌される際に、押圧突起３５，３５が薄板部５８，５８に直接衝突して、薄板部５８，５８を潰してしまったり、防水リブ５９，５９を変形させてしまったりすることがない。
【００３０】
なお、本発明のグロメットは、前述した実施形態に限定されるものではなく、適宜な変形、改良が可能である。
例えば、前述した実施形態では、第２シール部４６にグロメット４０の装着方向に延設された防水リブ５９，５９が各々１本形成されていたが、各々２〜３本設けることも可能である。
【００３１】
その他、前述した実施形態において例示したワイヤーハーネス、第１分割体および第２分割体の形状、寸法、形態、数、配置箇所等は本発明を達成できるものであれば任意であり、限定されない。
【００３２】
【発明の効果】
以上説明したように本発明の請求項１記載のグロメットによれば、切欠開口部の両側端を形成する箱本体上端の周壁部分に当接する防水リブを備えるとともに、蓋体の被嵌に伴って防水リブが箱本体内方向に押圧される。
従って、箱本体の切欠開口部へのグロメットの装着は、低挿入力で容易に装着することができるとともに、蓋体を被せることにより押圧突起が防水リブを周壁方向に押圧するので、グロメットと箱本体との高い防水性を確保することができる。
【００３３】
また、請求項２記載のグロメットによれば、防水リブが装着方向に沿って延設されているので、防水リブが切欠開口部近傍の両周壁の上端から下端にかけて当接して、蓋体を被せることにより防水リブを周壁方向に押圧するので、グロメットと箱本体との一層高い防水性を確保することができる。
【図面の簡単な説明】
【図１】本発明の一実施形態のグロメットの外観斜視図である。
【図２】図１に示すグロメットにおける各部品の組付関係を説明する外観斜視図である。
【図３】図１に示す防水箱の縦断面図である。
【図４】図１に示すグロメットの第１分割体の単体外観斜視図である。
【図５】図１に示すグロメットの第２分割体の単体外観斜視図である。
【図６】図５に示す第２分割体を下方から見た外観斜視図である。
【図７】従来のグロメット構成を示す説明図である。
【符号の説明】
１    防水箱
１０    箱本体
１２    周壁
１６，１９    切欠開口部
３０    蓋体
３５    押圧突起
３６    テーパ面
４０    グロメット
４１    第１分割体
４２    第２分割体
４４    第１シール部
４６    第２シール部（シール部）
５９    防水リブ
【図１】
2004201390.tif 000003
【図２】
2004201390.tif 000004
【図３】
2004201390.tif 000005
【図４】
2004201390.tif 000006
【図５】
2004201390.tif 000007
【図６】
2004201390.tif 000008
【図７】
2004201390.tif 000009